(57)【特許請求の範囲】
【請求項１】
シ―ト材を給送する給紙ロ―ラと、この給紙ロ―ラを回転させるロ―ラ駆動手段とを有する給紙装置において、前記シ―ト材を給送する給送状態と給送しない退避状態とを設け、
シート材を給送中の前記給紙ロ―ラを停止させて前記退避状態にし、該退避状態の該給紙ローラを所定時間回転させた後、該給紙ロ―ラを前記給紙状態に切り換える給紙切り換え手段を備えることを特徴とする給紙装置。
【請求項２】
シ―ト材を給送する一対または複数対の給紙ロ―ラ対と、この給紙ロ―ラ対の少なくとも一方を回転させるロ―ラ駆動手段とを有する給紙装置において、前記給紙ロ―ラ対の近傍に前記シ―ト材を保持解除する保持解除手段を設け、前記給紙ロ―ラ対を互いに圧接しその間に前記シ―ト材を挟んで給送する給送状態と前記給紙ロ―ラ対とを離間し前記シ―ト材を給送しない退避状態とを設け、前記シ―ト材を給紙状態の前記給紙ロ―ラ対により所定長さだけ給送し、次に前記給紙ロ―ラを退避状態に切り換え、前記シ―ト材を前記保持解除手段により保持すると共に、前記給紙ロ―ラ対を退避状態で所定時間回転させた後前記シ―ト材の保持を解除し再度給紙状態に切り換える給紙切り換え手段を備えることを特徴とする給紙装置。
【請求項３】
請求項１および２の記載において、所定時間は、少なくとも給紙ロ―ラが回転を始め、その回転が安定するに必要な時間以上であることを特徴とする給紙装置。
【発明の詳細な説明】
【０００１】
【産業上の利用分野】
本発明は、複写機等の画像形成装置に搭載され、給紙ロ―ラおよび搬送ロ―ラによりシ―ト材を給送しながら画像を読み取る給紙装置に関する。
【０００２】
【従来の技術】
図５は従来の給紙装置を搭載する複写機の概略構成図を示す。Ａは複写機本体Ｂに搭載された給紙装置で、Ｂ１  は感光体（ドラム）、Ｂ２  ，Ｂ３  はミラ―、Ｃは現像部、Ｄは転写・分離部、Ｅは定着部、Ｆは給紙部である。
【０００３】
図６は図５の給紙装置の概略構成図を示す。図においてシ―ト材（原稿）Ｐを給送する一対の給紙ロ―ラ対（給紙ロ―ラ８と押えコロ９とからなる）を回転駆動させるロ―ラ駆動手段である図示省略のモ―タと、給紙ロ―ラ８と押えコロ９とを互いに圧接し、その間に原稿Ｐを挟持して給送する給送状態と、給紙ロ―ラ８と押えコロ９との間を離して原稿Ｐを給送しない退避状態とに切り換える給紙切り換え手段である原稿給紙ソレノイド５とが設けられている。
【０００４】
原稿Ｐを上ガイド１と下ガイド２との間に挿入し、シャッタ３に先端を当接させる。この時、原稿検知センサ４が原稿Ｐを検知し、所定時間△ｔ１（図８）後に原稿給紙ソレノイド５がＯＮされる。
【０００５】
これにより、ソレノイドリンク機構６は、ロ―ラ保持レバ―１６が、支持レバ―１７およびスプリング１８を介して、支軸７を中心に図中反時計方向Ｓに回動する。従って、ギャボックス２０に設けられたレバ―係止ピン２１はローラ保持レバー１６に係止されるから、ローラ１０の中心軸２２を中心に回動し、給紙ロ―ラ８が押えコロ９に当接するまで下降し、押えコロ９との間に原稿Ｐを挟持する。
【０００６】
これと同時に、図７に示すようにシャッタ３は、図示省略のソレノイド等の手段により、上下ガイド１，２からなる原稿搬送路を開放する方向に作動する。なお、ソレノイドリンク機構６は、ストッパ１９によりその動作が規制される。
【０００７】
原稿給紙ソレノイド５がＯＮされてから所定時間△ｔ２（図８）後に、ロ―ラ駆動手段であるモ―タ（図示省略）が回転を開始し、給紙ロ―ラ８、搬送ロ―ラ１０，１１、排紙ロ―ラ１２が回転を開始する。ところで、前記モ―タと、４本のロ―ラ１０，〜１２とはベルト駆動またはギャ駆動により全て連結され、図７に示すように原稿Ｐはレジストシャッタ１３に突き当るまで給送される。
【０００８】
この時、レジスト前原稿検知センサ１４がＯＦＦされ、原稿Ｐがレジストシャッタ１３に突き当るのに充分な時間△ｔ３（図８）後、一旦前記モ―タが停止し複写機本体Ｂ側の転写用紙が給紙部Ｆから給紙されるのを待機する。
【０００９】
複写機本体Ｂ側の給紙が終了すると、ランプ１５が点灯し、その後所定時間△ｔ４（図８）後に前記モ―タが再度回転し始める。このモ―タの再始動から、所定時間△ｔ５後に図示省略のレジストシャッタソレノイドをＯＮすることによって、レジストシャッタ１３が作動し、上ガイド１と下ガイド２とからなる原稿搬送路を開放する。
【００１０】
従って、原稿Ｐは、搬送ロ―ラ１０，１１、排紙ロ―ラ１２で搬送されながら、ランプ１５で照射され、図５に示すように鎖線の経路でミラ―Ｂ１  ，Ｂ２  を介して、複写機本体Ｂ側の感光体Ｂ１  上に原稿の像を結像させる。
【００１１】
【発明が解決しようとする課題】
ところが、上記従来例には次のような問題があった。
【００１２】
転写用紙に画像先端を正確に合せるために前記モ―タを始動させてから、レジストシャッタ１３を開放するまでの時間△t5は、モ―タが一定回転数になるまでに必要な時間△tm（図９）よりも大きくなければならない。この時間△t5間は給紙ロ―ラ８が給紙状態になっており、原稿Ｐに搬送力を加えている。
【００１３】
また、一方では先端規制のためレジストシャッタ１３で原稿Ｐの先端を押えているために、原稿Ｐ上で給紙ロ―ラ８がスリップしていることになる。このために、
（１）  原稿Ｐがレジストシャッタ１３に押し付けられて原稿Ｐの先端が損傷する
（２）  原稿Ｐに給紙ロ―ラ８のコロ跡が付き、コロの汚れが原稿Ｐに付着して原稿Ｐを汚す
という問題があった。
【００１４】
本発明の目的は、上記問題点を改善するために、原稿上で給紙ロ―ラがスリップしている時間が少なく、原稿にコロ跡が付かず、原稿の損傷が少なく、原稿のズレが防止される給紙装置を提供することにある。
【００１５】
【課題を解決するための手段】
上記目的を達成するために、本発明は、シ―ト材を給送する給紙ロ―ラと、この給紙ロ―ラを回転させるロ―ラ駆動手段とを有する給紙装置において、前記シ―ト材を給送する給送状態と給送しない退避状態とを設け、前記給紙ロ―ラを退避状態にて所定時間回転させた後、前記給紙ロ―ラを給紙状態に切り換える給紙切り換え手段を備えることを特徴とする給紙装置である。
【００１６】
本発明によれば、シ―ト材を給送する一対または複数対の給紙ロ―ラ対と、この給紙ロ―ラ対の少なくとも一方を回転させるロ―ラ駆動手段とを有する給紙装置において、前記給紙ロ―ラ対の近傍に前記シ―ト材を保持解除する保持解除手段を設け、前記給紙ロ―ラ対を互いに圧接しその間に前記シ―ト材を挟んで給送する給送状態と前記給紙ロ―ラ対とを離間し前記シ―ト材を給送しない退避状態とを設け前記シ―ト材を給紙状態の前記給紙ロ―ラ対により所定長さだけ給送し、次に前記給紙ロ―ラ対を退避状態に切り換え、前記シ―ト材を前記保持解除手段により保持すると共に、前記給紙ロ―ラ対を退避状態で所定時間回転させた後前記シ―ト材の保持を解除し再度給紙状態に切り換える給紙切り換え手段とを備える。
【００１７】
本発明によれば、所定時間は、少なくとも給紙ロ―ラが回転を始め、その回転が安定するに必要な時間以上である。
【００１８】
【作用】
本発明の給紙装置を採用することにより、給紙ロ―ラを退避状態にして、モ―タが一定回転数になるに必要な所定時間回転させた後、給紙ロ―ラを給紙状態に切り換えてシ―ト材を給送し、またシ―ト材を給紙状態の給紙ロ―ラ対により所定長さだけ給送し、次に給紙ロ―ラを退避状態に切り換え、シ―ト材を保持すると共に、所定時間給紙ロ―ラを回転させた後シ―ト材の保持を解除し再度給紙状態に切り換えることによって、シ―ト材上で給紙ロ―ラがスリップしている時間が少なく、シ―ト材にコロ跡が付かず、シ―ト材の損傷が少なく、ズレが防止される。
【００１９】
【実施例】
以下、本発明の実施例を図面に基づいて詳細に説明する。
【００２０】
図１は本発明の一実施例の概略構成図、図２は図１の動作シ―ケンスを示す。図１，２において図６，７と同一の機能を有する部分には、同一の符号が付されている。図７と同様に、レジスト前センサ１４がシ―ト材（原稿）Ｐの給紙によりＯＦＦされ、所定時間△ｔ３後に図示省略のモ―タが停止する。
【００２１】
このモ―タは複写機本体Ｂ側の給紙が終ってから再始動する。この停止から再始動までの間で、原稿給紙ソレノイド５を一旦ＯＦＦ状態にする（図２）。このソレノイド５のＯＦＦにより給紙ロ―ラ８は一旦原稿Ｐから離れ退避状態となる。この退避状態で給紙ロ―ラ８は再始動する。
【００２２】
その後、所定時間△ｔ６後に原稿給紙ソレノイド５をＯＮして、給紙ロ―ラ８を原稿Ｐ上に加圧し、同時にレジストシヤッタ１３を解除して原稿Ｐを給送する給紙状態となる。この所定時間△ｔ６は所定時間△ｔ５（図２），△ｔｍ（図９）との間に次式（１）  の関係を有する。
【００２３】
△t6<△t5，△t6>△tm      ………(1)
このように、給紙ロ―ラ８が一定回転数になるまでの時間tmより所定時間△t6を大きくして、この間給紙ロ―ラ８を原稿Ｐから離し退避状態とするために、原稿Ｐ上でのスリップ時間が少なくなり、原稿Ｐを損傷することなく、汚れの付着も少なくなる。
【００２４】
図３は本発明の他の実施例の概略構成図を示す。図において原稿Ｐの保持解除手段である本実施例のシャッタ開閉機構２３は、給紙ロ―ラ８および押えコロ９の近くに設けられたシャッタ３を給紙ロ―ラ８と同時に開閉自在とする。
【００２５】
このために、シャッタ開閉機構２３は、シャッタ３が支軸２５にて回動自在に設けられ、このシャッタ３がソレノイドリンク機構６の支軸７に一端が設けられた取付け部材２６の他端に、連結部材２７により連結されてなる。
【００２６】
このように構成されたことにより、給紙ロ―ラ８がロ―ラ保持レバ―１６により上昇する退避状態ではシャッタ３が下降し（図４）、給紙ロ―ラ８が下降して原稿Ｐを押えロ―ラ９との間に挟持する給紙状態では、シャッタ３が上昇している（図３）。
【００２７】
従って、１個の原稿給紙ソレノイド５により、ソレノイドリンク機構６およびシャッタ開閉機構２３が互いに作動し、また原稿Ｐがレジストシャッタ１３に当接した後、一旦給紙ロ―ラ８を原稿Ｐから退避させる際に、シャッタ３が原稿Ｐを保持する保持手段として、レジストシャッタ１３により先端規制された原稿Ｐのズレを防止する。
【００２８】
なお、本発明は、上記実施例に限定するものではなく、適宜の設計的変更を行うことにより、他の態様においても実施することが可能である。
【００２９】
【発明の効果】
上記説明ですでに明らかなように、本発明の給紙装置は、給紙ロ―ラを退避状態にして、モ―タが一定回転数になるに必要な所定時間回転させた後、給紙ロ―ラを給紙状態に切り換えて原稿を給送し、また原稿を給紙状態の給紙ロ―ラにより所定長さだけ給送し、次に給紙ロ―ラを退避状態に切り換え、原稿を保持すると共に、所定時間給紙ロ―ラを回転させた後原稿の保持を解除し再度給紙状態に切り換えることによって、従来技術の問題点が容易に解決され、原稿上で給紙ロ―ラがスリップしている時間が少なくなるから、原稿にコロ跡が付かず、原稿の損傷が少なく、原稿のズレが防止される等の効果を奏する。
【図面の簡単な説明】
【図１】本発明の一実施例の概略構成図である。
【図２】図１の動作シ―ケンスである。
【図３】図１の動作状態図である。
【図４】図１の他の動作状態図である。
【図５】従来の画像形成装置の概略構成図である。
【図６】図５の給紙動作状態図である。
【図７】図５の他の給紙動作状態図である。
【図８】図６の動作シ―ケンスである。
【図９】駆動モ―タの時間に対する回転数曲線図である。
【符号の説明】
１  上ガイド
２  下ガイド
３  シャッタ
４  原稿検知センサ
５  原稿給紙ソレノイド
６  ソレノイドリンク機構
７  支軸
８  給紙ロ―ラ
１３  レジストシャッタ
１４  レジスト前センサ
１５  ランプ
１６  ロ―ラ保持レバ―
１７  支持レバ―
１８  スプリング
２３  シャッタ開閉機構
Ａ  給紙装置
Ｂ  複写機本体
【図１】
0003606606.tif 000002
【図２】
0003606606.tif 000003
【図３】
0003606606.tif 000004
【図４】
0003606606.tif 000005
【図５】
0003606606.tif 000006
【図６】
0003606606.tif 000007
【図７】
0003606606.tif 000008
【図８】
0003606606.tif 000009
【図９】
0003606606.tif 000010